(57)【要約】【課題】サイドキー対応のドームの逆面搭載の防止等を図る。【解決手段】ＦＰＣシート１２とドームシート１４とを貼り合わせて構成されるクリックシート１８のサイドキー部分１６は、折り返され、そしてサイドキー部分１６のドームが外向きになるように折り曲げられてケース２４の挿入口３２に挿入取着される。サイドキー部分１６のドームの逆面搭載を防止し得る。折り曲げ部分１６ａの切欠口２２にケース２４の係止爪２４ａを嵌合させる。ＦＰＣシート１２により発生されるキー面側への反発力を押え込むことができる。【選択図】図１
2007201640.tif 000002
【特許請求の範囲】
【請求項１】
筐体と、
各種の操作キーが配置された第１のシートと、
複数の固定接点を有するフレキシブルな印刷回路基板に、前記複数の固定接点に１対１で対応する複数の可動接点を有する可動接点シートを接着してなる第２のシートと、
前記筐体の側面に設けられた少なくとも１つのサイドキーと
を有してなる電子機器であって、
前記操作キーと前記固定接点（又は前記可動接点）とが１対１で対向する状態で、前記第１のシートと前記第２のシートとが相互に重なり合わせられて前記筐体の主面に取り付けられ、任意の前記操作キーを押圧することにより対応する前記可動接点と前記固定接点とが相互に接触して電気信号が入力される構成とされ、
前記第２のシートが、折曲されて前記筐体の前記側面の前記サイドキーの取着部まで延設され、かつ、当該延設箇所に設けられた前記可動接点（又は前記固定接点）が前記サイドキーと１対１で対向する態様で、前記サイドキーの前記取着部位にて、前記サイドキー側回りで折り重ねられて構成されることを特徴とする電子機器。
【請求項２】
折り重ねられている前記第２のシートの前記可動接点は、前記主面に取り付けられている前記第２のシートの前記可動接点と同一面に形成されていることを特徴とする請求項１記載の電子機器。
【請求項３】
前記可動接点は、前記印刷回路基板と接着される前記可動接点シートの接着面とは反対側の面から外側へ弧状に形成されていることを特徴とする請求項１又は２記載の電子機器。
【請求項４】
前記第２のシートは、外力に応じて変形し、かつ、前記外力を取り除いてもそのままの変形状態を保つ塑性材料からなることを特徴とする請求項１、２又は３記載の電子機器。
【請求項５】
折り重ねられている前記第２のシートに形成された切欠口に前記側面に対向した対向部の係止爪を嵌合させていることを特徴とする請求項１、２、３又は４記載の電子機器。
【請求項６】
折り重ねられている前記第２のシートの前記印刷回路基板の接続部及び該接続部に対応する前記可動設定シートの部分に形成された切欠口に前記側面に対向した対向部の係止爪を嵌合させていることを特徴とする請求項１乃至５のいずれか一に記載の電子機器。
【請求項７】
前記側面は、前記主面に対して直角であることを特徴とする請求項１乃至６のいずれか一に記載の電子機器。
【請求項８】
前記サイドキーは、前記筐体のフロントケースとリアケースとの間に取着されていることを特徴とする請求項１乃至７のいずれか一に記載の電子機器。
【請求項９】
前記第１のシートは、キーシートで、前記第２のシートはクリックシートであることを特徴とする請求項１乃至８のいずれか一に記載の電子機器。
【発明の詳細な説明】
【技術分野】
【０００１】
この発明は、電子機器に関し、詳しくはサイドキーの押圧面にドームシートのドームを対向させている電子機器に関する。
【背景技術】
【０００２】
最近の携帯用電子機器、例えば、携帯電話機は、外観デザイン、例えば、操作キー部分等が多様化の一途を辿り、その開発が活発である。携帯電話機においてて、操作キー部分の薄型化への要求があり、それに伴う外観への影響もある。
操作キー部分の薄型化を達成する公知例は、操作キーの機械的入力を受けるスイッチ回路シートとして構成されている。スイッチ回路シートは、回路基板フレームに取り付けられ支持されている。この構成における操作キーの機械的入力に対する電気的信号は次のようにしてスイッチ回路シートから出力される。
操作キーが押圧されると、その機械的入力は、スイッチ回路シートのドームに伝達され、ドームは機械的変位をしてスイッチ回路シートの接点を閉成する。これにより、スイッチ回路シートから操作キーの押圧に対応する電気的信号が出力される。
【０００３】
また、特許文献１には、弾性体シートに正面操作ボタントップと側面操作ボタントップとを所定の配置形態で固定した操作ボタン部部品を筐体ケースの正面及び側面の内壁に沿って折り曲げて配置するとき、正面操作ボタントップが筐体ケースの正面に対応して形成された開口部に配置され、側面操作ボタントップが筐体ケースの側面に対応して形成された開口部に配置される携帯電話機が開示されている。なお、この携帯電話機における各操作ボタントップの押圧に対応する電気的信号は、スイッチ回路に形成されているドームが変位して回路基板フレームの接点を閉成して為されるという上述と同様の公知の構成によって得られる。
【０００４】
特許文献２には、表ケースと、弾性体シートに複数の正面操作ボタン（キー）と側面操作ボタンとを一体に形成した操作ボタン部部品と、正面操作ボタン対応にドームを形成しているスイッチ回路と、側面操作ボタン用基板搭載型スイッチを搭載配置すると共に上記ドーム対応に接点を配置している回路基板フレームと、裏ケースとにより構成される携帯電話機が開示されている。
なお、この携帯電話機における各操作キーの押圧に対応して出力される電気的信号の出力は、上述と同様のものである。具体的には、正面操作キーの押圧により、スイッチ回路のドームを変位させて回路基板フレームの接点に当接させ、回路基板フレームの信号回路から前記押圧対応の電気的信号を出力させ、側面操作キーの押圧により回路基板フレームの側面操作ボタン用基板搭載型スイッチの閉成を生じさせ、回路基板フレームの信号回路から前記押圧対応の電気信号を出力させるものである。
【特許文献１】特開２００４−０８８６５３号公報
【特許文献２】特開２００５−２３６４８５号公報
【発明の開示】
【発明が解決しようとする課題】
【０００５】
上述の公知例において、正面操作キーに対するドームと側面操作キーに対するドームとをスイッチ回路シートの同一面に形成してスイッチ回路シートの側面サイドキー対応部分をドーム形成面とは反対側の方へ折り曲げる場合には、側面サイドキー対応部分のドーム形成面を外向きに配置させることはできる。
しかしながら、側面サイドキー対応部分をドーム形成面側の方へ折り曲げる場合には、側面サイドキー対応部分のドーム形成面を外向きに配置させることはできないという決定的な短所を有している。
また、特許文献１も、また、特許文献２も、正面操作キー及び側面操作キーを単一の部品として構成することは示しているが、スイッチ回路をドーム形成側の方へ折り曲げた場合についての言及はなく、上述の公知例と同様の問題がある。
【０００６】
この発明は、上述の事情に鑑みてなされたもので、ドームシートのドームをサイドキーに対して逆面搭載とならない構成とした電子機器を提供することを目的としている。
【課題を解決するための手段】
【０００７】
上記課題を解決するために、請求項１記載の発明は、筐体と、各種の操作キーが配置された第１のシートと、複数の固定接点を有するフレキシブルな印刷回路基板に、上記複数の固定接点に１対１で対応する複数の可動接点を有する可動接点シートを接着してなる第２のシートと、上記筐体の側面に設けられた少なくとも１つのサイドキーとを有してなる電子機器に係り、上記操作キーと上記固定接点（又は上記可動接点）とが１対１で対向する状態で、上記第１のシートと上記第２のシートとが相互に重なり合わせられて上記筐体の主面に取り付けられ、任意の上記操作キーを押圧することにより対応する上記可動接点と上記固定接点とが相互に接触して電気信号が入力される構成とされ、上記第２のシートが、折曲されて上記筐体の上記側面の上記サイドキーの取着部まで延設され、かつ、当該延設箇所に設けられた上記可動接点（又は上記固定接点）が上記サイドキーと１対１で対向する態様で、上記サイドキーの上記取着部位にて、上記サイドキー側回りで折り重ねられて構成されることを特徴としている。
【０００８】
請求項２記載の発明は、請求項１記載の電子機器に係り、折り重ねられている上記第２のシートの上記可動接点は、上記主面に取り付けられている上記第２のシートの上記可動接点と同一面に形成されていることを特徴としている。
【０００９】
請求項３記載の発明は、請求項１又は２記載の電子機器に係り、上記可動接点は、上記印刷回路基板と接着される上記可動接点シートの接着面とは反対側の面から外側へ弧状に形成されていることを特徴している。
【００１０】
請求項４記載の発明は、請求項１、２又は３記載の電子機器に係り、上記第２のシートは、外力に応じて変形し、かつ、上記外力を取り除いてもそのままの変形状態を保つ塑性材料からなることを特徴としている。
【００１１】
請求項５記載の発明は、請求項１、２、３又は４記載の電子機器に係り、折り重ねられている上記第２のシートに形成された切欠口に上記側面に対向した対向部の係止爪を嵌合させていることを特徴としている。
【００１２】
請求項６記載の発明は、請求項１乃至５のいずれか一に記載の電子機器に係り、折り重ねられている上記第２のシートの上記印刷回路基板の接続部及び該接続部に対応する上記可動設定シートの部分に形成された切欠口に上記側面に対向した対向部の係止爪を嵌合させていることを特徴としている。
【００１３】
請求項７記載の発明は、請求項１乃至６のいずれか一に記載の電子機器に係り、上記側面は、上記主面に対して直角であることを特徴としている。
【００１４】
請求項８記載の発明は、請求項１乃至７のいずれか一に記載の電子機器に係り、上記サイドキーは、上記筐体のフロントケースとリアケースとの間に取着されていることを特徴としている。
【００１５】
請求項９記載の発明は、請求項１乃至８のいずれか一に記載の電子機器に係り、上記第１のシートは、キーシートで、上記第２のシートはクリックシートであることを特徴としている。
【発明の効果】
【００１６】
この発明によれば、第２のシートを、折曲されて筐体の側面のサイドキーの取着部まで延設し、さらに、当該延設箇所に設けられた可動接点がサイドキーと１対１で対向する態様で、サイドキーの取着部位にて、サイドキー側回りで折り重ねられる構成としているから、可動接点の逆面搭載を回避することができる。
また、折り重ねられている第２のシートの切欠口に筐体の側面に対向する対向部の係止爪を嵌合させることにより、可動接点シートにより発生されるキー面側への反発力を押え込むことができる。
【発明を実施するための最良の形態】
【００１７】
この発明は、第２のシートを、折曲されて筐体の側面のサイドキーの取着部まで延設し、さらに、当該延設箇所に設けられた可動接点がサイドキーと１対１で対向する態様で、サイドキーの取着部位にて、サイドキー側回りで折り重ねられる構成を含んで構成される。
【実施例１】
【００１８】
図１は、この発明の実施例１である携帯電話機のサイドキー部の構成を示す図、図２は、同携帯電話機のサイドキー部の拡大図、図３は、同携帯電話機のサイドキー部を図１の矢視方向に見た側面図、図４は、クリックシートの成形過程を図解する図、図５は、成形前のドームシートを貼り合わせたクリックシートを示す図、図６は、成形後のクリックシートの斜視図、図７は、キーシートと、クリックシートと、ケースとの組立て方を示す図、図８は、キーシートと、クリックシートと、ケースの分解図、図９は、ケースを上方から見た図、また、図１０は、組み立てられた携帯電話機の斜視図である。
【００１９】
この実施例の携帯電話機１は、ＦＰＣ（Ｆlexible Ｐrinted Ｃircuit）シートとドームシートとを貼り合わせて形成されるクリックシートに正面キー部分とサイドキー部分とを一体に形成し、サイドキー部分のドームを外向きに位置させてサイドキー部を構成してなる電話機に係り、そのサイドキー部２は、図１及び図２に示すように、ＦＰＣシート１２とドームシート１４とを貼り合わせて構成されるクリックシート１８のサイドキー部分１６（図４）は、折り曲げ部分１６ａと、折り返し部分１６ｂとを有して構成されている。ＦＰＣシート１２のシート基材は合成樹脂であり、ドームシート１４のシート基材はステンレスである。
【００２０】
折り曲げ部分１６ａには、ドームシート１４の正面キー部分１４ａ（図４）から９０度折り曲げられ、折り曲げ方向の折り曲げ個所のすぐ傍に切欠口２２が形成されている一方、切欠口２２に嵌合してサイドキー部分１６を固定させる係止爪２４ａがフロントケース（単に、ケースともいう）２４に形成されている。ケース２４には、押子２４ｃが設けられている。押子２４ｃは、キーシート３４のキーと、これと対向されるＦＰＣシート１２の固定接点と、ドームシート１４のドーム２６と１対１の関係で対応させて設けられる。
折り返し部分１６ｂの表面に形成されているドーム２６に対向してサイドキー２８が配設されている。サイドキー２８は、ケース２４のキー取着部３０に滑動可能に支持される（後述）。
【００２１】
そして、サイドキー部分１６を挿入する挿入口３２が、ケース２４のサイドキー取り付け位置対応部に形成されている（図９）。サイドキー部分１６が挿入口３２に挿入されるとき、その折り曲げ部分１６ａの背面に当接して支持する支持壁２４ｂがケース２４に形成されている。
なお、図１及び図２に示されるキーシート３４については後述する。
【００２２】
次に、図１乃至図１０を参照して、この実施例のサイドキー部の成形と組立てについて説明する。
上述したクリックシート１８の成形過程を、先ず、説明する。正面キー部分１４ａとサイドキー部分１６とを一体に形成しているＦＰＣシート１２とドームシート１４とを貼り合わせてクリックシート１８を用意する（図４の（１）、図５）。そのクリックシート１８のサイドキー部分１６を折り返してサイドキー部分１６のドーム２６を反対側に位置させる（図４の（２））。折り返されたサイドキー部分１６を正面キー部分１７のドーム形成側へ９０度折り曲げて（図４の（３）、図６、図７の（２））この実施例におけるクリックシート１８を成形する。
【００２３】
次に、キーシート３４、クリックシート１８及びサイドキー２８のフロントケース２４への組み付けと携帯電話機１の組み立てについて説明する。
上述したようにして成形したクリックシート１８の正面キー部分（図７の（２））にキーシート３４（図７の（１））を合わせ、そしてサイドキー部分１６をフロントケース２４の挿入口３２（図７の（３））内に挿入して行き、サイドキー部分１６の切欠口２２にフロントケース２４の係止爪２４ａを係合させる。これにより、サイドキー部分１６はフロントケース２４に固定される。
このようにしてフロントケース２４に固定されたサイドキー部分１６のドーム２６は、ケース２４の側面から外向きに位置されている。
そして、フロントケース２４の下側から溝に沿ってサイドキー２８を挿入した後、そのサイドキー２８に対してフロントケース２４の下方からリアケース（図示せず）を挟み込んでサイドキー２８をフロントケース２４とリアケースとの間に滑動可能に組み付ける。このサイドキー２８のフロントケース２４及びリアケースへの組み付け自体は公知の技術的事項である。
この組み立て完了後の断面を示したのが、図1である。
【００２４】
キーシート３４と、上述のサイドキー部分１６を正面キー部分と一体に形成しているクリックシート１８と、ケース２４とを分解して示したのが図８である。また、図９は、係止爪２４ａ及び挿入口３２を見易くするため、ケース２４を略正面から見た図である。そして、キーシート３４と、クリックシート１８と、ケース２４とを組み立てて完成した携帯電話機の斜視図が図１０である。
【００２５】
このように、この実施例の構成によれば、正面キー用のドームとサイドキー用のドームとを同一面に形成したドームシートをＦＰＣシートに貼り合わせて構成されるクリックシートであっても、そのクリックシートのサイドキー部分を折り返して折り返し方向とは逆向きに９０度折り曲げて成形したので、サイドキー部分を単純に９０度折り曲げた場合のようにドームを逆面搭載してしまうのを回避することができる。
また、クリックシートの切欠口にケースの係止爪を嵌合させることにより、ＦＰＣシートにより発生されるキー面側への反発力を押え込むことができる。
【実施例２】
【００２６】
この発明の実施例２の構成が、実施例１のそれと大きく異なる点は、ＦＰＣ接続部に対してサイドキー部と同様の係止構造を設けるようにした点である。
すなわち、フロントケースの側壁へ折り曲げられた上記信号変換シートのＦＰＣ接続部（図５の１２ａ）に切欠口を形成すると共に、フロントケースに係止爪を形成する。そして、上記ＦＰＣ接続部の切欠口にフロントケースの係止爪を係止させるようにして構成する。
したがって、この実施例においては、接合された信号変換シートをフロントケースに固定することができる。この部位のキーシートの浮き上がり防止等に役立つ。
【００２７】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、実施例では、ＦＰＣシート１２のシート基材を合成樹脂とし、ドームシート１４のシート基材をステンレスとする場合を例にしたが、これに限らず、その他の塑性変形可能な材料（外力に応じて変形し、かつ、前記外力を取り除いてもそのままの変形状態を保つ塑性材料）を用いてもよい。
また、キーシートのキーとＦＰＣシートの固定接点とを１対１で対向させる例について説明したが、キーシートのキーとドームシートのドームとを１対１で対向させる構成であってもよい。これに伴って、サイドキー部分も同じ構成としてもよい。また、キーシートに対向するクリックシートとサイドキーと対向するクリックシートとの構成を逆の構成としてもよい。
【００２８】
また、実施例においては、クリックシートのサイドキー対応部分をケースの側壁へ折り曲げる場合について説明したが、ケースの傾斜壁へ折り曲げるようにし、その傾斜壁に係止爪を設けるようにしてもよい。
また、ドームシートのドームをキーシート、すなわち、正面操作キーに対する部分においてキーシート側に形成してもよい。
さらには、正面キーをキーシートに設ける例について説明したが、その他のキー取り付け構造でこの発明を実施することができる。
また、実施例においては、携帯電話機について説明したが、その他の携帯情報端末装置の操作キー部でこの発明を実施することもできる。
【産業上の利用可能性】
【００２９】
ここに開示している電子機器及びその組立て方法並びにクリックシートは、携帯性の有無を問わず、各種の入力装置、例えば、情報処理装置、ディスプレイ装置等でも利用し得る。
【図面の簡単な説明】
【００３０】
【図１】この発明の実施例１である携帯電話機のサイドキー部の構成を示す図である。
【図２】同携帯電話機のサイドキー部の拡大図である。
【図３】同携帯電話機のサイドキー部を図１の矢視方向に見た側面図である。
【図４】クリックシートの成形過程を図解する図である。
【図５】成形前のドームシートを貼り合わせたクリックシートを示す図である。
【図６】成形後のクリックシートの斜視図である。
【図７】キーシートと、クリックシートと、ケースとの組み立て方を示す図である。
【図８】キーシートと、クリックシートと、ケースの分解図である。
【図９】ケースを上方から見た図である。
【図１０】組み立てられた携帯電話機の斜視図である。
【符号の説明】
【００３１】
１      携帯電話機（電子機器）
１２      ＦＰＣシート（印刷回路基板）
１２ａ      ＦＰＣ接続部（印刷回路基板の接続部）
１４      ドームシート（可動接点シート）
１４ａ      正面キー部分（主面に取り付けられる第２のシートの可動接点シート）
１６      サイドキー部分（折曲され折り重ねられる第２のシート）
２２      切欠口
２４      フロントケース（筐体）
２４ａ      係止爪
２６      ドーム
２８      サイドキー
３２      挿入口
３４      キーシート（第１のシート）
【図１】
2007201640.tif 000003
【図２】
2007201640.tif 000004
【図３】
2007201640.tif 000005
【図４】
2007201640.tif 000006
【図５】
2007201640.tif 000007
【図６】
2007201640.tif 000008
【図７】
2007201640.tif 000009
【図８】
2007201640.tif 000010
【図９】
2007201640.tif 000011
【図１０】
2007201640.tif 000012